(57)【特許請求の範囲】
【請求項１】
引戸とその引戸を受ける戸枠とに、閉戸時に接触して通電状態を形成する戸側電極と枠側電極とを対設してなる引戸の給電装置において、
前記戸側電極は引戸に固定された戸側コンタクトケース内に収容する一方、枠側電極は戸枠に固定された枠側コンタクトケース内に収容するとともに、前記枠側コンタクトケースには戸枠より外部に突出しかつ前部を開口した箱状のガード体を一体に設け、このガード体の内部に前記枠側電極を設けてなり、閉戸時には前記戸側コンタクトケースがガード体を嵌合するとともに、該ガード体の内部で戸側電極と枠側電極とが接触するように構成してあることを特徴とする引戸の給電装置。
【請求項２】
戸側電極と枠側電極のいずれか一方は戸側コンタクトケースまたは枠側コンタクトケースの内部に固定するとともに、他方は枠側コンタクトケースまたは戸側コンタクトケースの内部に可動に設け、閉戸時には戸側電極と枠側電極との接点が摺動するようにしてある請求項１記載の引戸の給電装置。
【請求項３】
戸側電極は戸側コンタクトケースの内部で、枠側電極は枠側コンタクトケースの内部でそれぞれ可動に設けてあるとともに、閉戸時には戸側電極と枠側電極との接点が摺動するようにしてある請求項１記載の引戸の給電装置。
【請求項４】
枠側コンタクトケースは、フロント板の開口より外部に臨出したガード体と、該ガード体の後部に一体に形成され、かつ縦長さを同ガード体よりも長くした枠側コンタクトケース本体とで構成し、前記枠側コンタクトケース本体内の上下には一端を枢支するとともに、他部を前記ガード体の内部に臨ませてなる１対の枠側電極を対設する一方、戸側コンタクトケースは前部を開口した空室を有する略箱状に形成し、前記空室には閉戸時に前記１対の枠側電極に接触する１対の戸側電極が対設してなる請求項２記載の引戸の給電装置。
【請求項５】
戸側電極または枠側電極のいずれか一方は、薄肉の板で形成してある請求項２または３記載の引戸の給電装置。
【発明の詳細な説明】
【０００１】
【発明の属する技術分野】
本発明は、引戸等に設けられた電気錠等の電気機器に操作電流を供給するための引戸の給電装置に関する。
【０００２】
【従来の技術】
従来、この種の引戸の給電装置としては、実開平５−４０５５２号公報に記載されたものが知られている。
【０００３】
上記公報記載の給電装置は、引戸とその引戸を受ける戸枠とに、閉戸時に接触して通電状態を形成する受電側のコンタクトと給電側のコンタクトを対設するとともに、閉戸時に作動して通電状態を形成する開閉確認スイッチを設け、閉戸時には前記開閉確認スイッチが作動することにより前記給電側のコンタクトに通電するようにしてある。また、給電側のコンタクトは、戸枠に固定されたコンタクトケース内に上下に１対のプレート状の電極を分離して固定状態に配置している。受電側のコンタクトは引戸に固定されたコンタクトケース内に、開閉自在で閉状態に付勢され、前記給電側のコンタクトの電極を導入して嵌合接触可能に構成される電極を上下に１対分離して収納しているものである。
【０００４】
【発明が解決しようとする課題】
しかるに、上記従来例の給電装置によれば、
▲１▼  閉戸時には、給電側のコンタクトの電極によって受電側のコンタクトの電極同士の接触子間が開放されて嵌合接触し通電状態が形成されるものであるため、引戸のガタつきなどによって前記給電側の電極と受電側の電極（接触子間）との位置決めが困難となり、両者間に接触不良が生じる虞れがあった。
【０００５】
▲２▼  給電側コンタクトの電極の先端部は開戸時にはカバー体で被覆してあるが、閉戸時には前記カバー体は引戸の受電側コンタクトにより後退されて該電極の先端が露出状態となるため、この露出した電極部分に手が触れて感電する虞れがあった。
【０００６】
▲３▼  閉戸時において、給電側コンタクト（カバー体も含む）と引戸の戸先を含む受電側コンタクトとの間には、一般的に少しの隙間が生じているため、この隙間から、通電保持されている前記電極を破損ないし移動等することによって戸に取付けてある電気錠を不法に解錠される問題があった。
【０００７】
本発明は、上記従来の欠点を解消するとともに、戸側電極と枠側電極との接点を摺動させることによって、接合部分の自動清掃ができるため、両電極への酸化物等の付着物が除去されるのでショートの発生をなくし常時通電状態を良好にし、さらには構成部材が少なく小形化が図れる引戸の給電装置を提供することを目的とする。
【０００８】
【課題を解決するための手段】
本発明に係る引戸の給電装置は、引戸とその引戸を受ける戸枠とに、閉戸時に接触して通電状態を形成する戸側電極と枠側電極とを対設してなる引戸の給電装置において、前記戸側電極は引戸に固定された戸側コンタクトケース内に収容する一方、枠側電極は戸枠に固定された枠側コンタクトケース内に収容するとともに、前記枠側コンタクトケースには戸枠より外部に突出しかつ前部を開口した箱状のガード体を一体に設け、このガード体の内部に前記枠側電極を設けてなり、閉戸時には前記戸側コンタクトケースがガード体を嵌合するとともに、該ガード体の内部で戸側電極と枠側電極とが接触するように構成してあることを特徴としている。
【０００９】
前記戸側電極と枠側電極のいずれか一方は戸側コンタクトケースまたは枠側コンタクトケースの内部に固定するとともに、他方は枠側コンタクトケースまたは戸側コンタクトケースの内部に可動に設け、閉戸時には戸側電極と枠側電極との接点が摺動するように構成するのが好ましい。
【００１０】
また、戸側電極は戸側コンタクトケースの内部で、枠側電極は枠側コンタクトケースの内部でそれぞれ可動に設けてあるとともに、閉戸時には戸側電極と枠側電極との接点が摺動するように構成することもできる。
【００１１】
枠側コンタクトケースは、フロント板の開口より外部に臨出したガード体と、該ガード体の後部に一体に形成され、かつ縦長さを同ガード体よりも長くした枠側コンタクトケース本体とで構成し、前記枠側コンタクトケース本体内の上下には一端を枢支するとともに、他部を前記ガード体の内部に臨ませてなる１対の枠側電極を対設する一方、戸側コンタクトケースは前部を開口した空室を有する略箱状に形成し、前記空室には閉戸時に前記１対の枠側電極に接触する１対の戸側電極を対設する構成を採る方が好ましい。
【００１２】
戸側電極または枠側電極のいずれか一方は、薄肉の板で形成するのが好ましい。
【００１３】
【作用】
枠側コンタクトケースには戸枠より外部に突出しかつ前部を開口した箱状のガード体を一体に設け、このガード体の内部に枠側電極を設け、閉戸時には戸側電極を設けた戸側コンタクトケースがガード体を嵌合するとともに、該ガード体の内部で戸側電極と枠側電極とが接触するように構成してあるため、閉戸時には、戸側電極と枠側電極とを直接に位置合わせしなくてもよい。すなわち、戸側電極を内装している戸側コンタクトケースの開口面積は戸側電極の占有面積よりもかなり大きい上に、この戸側コンタクトケースの開口から嵌挿されるガード体も枠側電極より大きな占有面積を有しているので、閉戸時には、ガード体を戸側コンタクトケースに位置決めし易く、嵌合するだけで、戸側電極と枠側電極とが自然に位置合わされて、両電極の左右の位置ずれがあっても確実に接触する。
【００１４】
充電部分である枠側電極はガード体の内部に被覆されているため、枠側電極を保護するとともに、該枠側電極に手が触れることがなく感電することがないし、外部から不法解錠されることもない。
【００１５】
戸側電極と枠側電極のいずれか一方は固定され、他方は可動に設け、両電極の接点を摺動するようにすることで、接点部分の自動清掃ができるため、両電極の酸化物の発生等によるショートの発生がなく常時通電状態が良好となる。
【００１６】
【発明の実施の形態１】
本発明の実施の形態１を図１〜図６に基づいて以下に説明する。
図１は実施の形態１における引戸の給電装置の閉戸時の縦断面図、図２は同給電装置の開戸時の縦断面図、図３は枠側コンタクトケースの分解斜視図、図４は戸側コンタクトケースの分解斜視図、図５は枠側コンタクトケースの正面図、図６は引戸の全体概略図である。
【００１７】
１は引戸、２は引戸１を受ける戸枠である。戸枠２には、１対の枠側電極３ａ、３ｂを有する枠側コンタクトケース４を設けており、一方の枠側電極３ａをリード線５を介して電源６の一方の端子６ａに接続するとともに、他方の枠側電極３ｂをリード線７を介して電源６の他方の端子６ｂに接続している。
【００１８】
引戸１の端面側には、閉戸時に枠側コンタクトケース４内に設けた１対の枠側電極３ａ、３ｂと接触して通電状態を形成する１対の戸側電極８ａ、８ｂを有する戸側コンタクトケース９が設けてある。
【００１９】
上記枠側コンタクトケース４及び戸側コンタクトケース９並びにそれらの内部構造について、以下に詳細に説明する。
【００２０】
すなわち、枠側コンタクトケース４は、合成樹脂などの絶縁材料で、後部の縦長さを長くした枠側コンタクトケース本体１０と、前部の縦長さを前記枠側コンタクトケース本体１０より短くかつフロント板１２の開口１２ａより外部に臨出したガード体１１とで一体に成形されている。ケース本体１０内の上部両端部にはねじ柱１３、１３が後部に向けて水平方向に延設されている。この各ねじ柱１３に、板状の折曲片からなりかつ金属などの導電材料からなる枠側電極３ａ、３ｂの一端に形成した挿通孔１４ａ、１４ｂを挿入する。そして、上記挿通孔１４ａ、１４ｂの後面にバネ１５、１５を介して裏蓋１６を押し付け、裏蓋１６のビス孔１７、１７よりバネ１５及び挿通孔１４ａ、１４ｂを介してねじ柱１３、１３にビス１８、１８をねじ込む。これによって、枠側電極３ａ、３ｂの一端が枢支されるとともに、該枠側電極３ａ、３ｂの他部は前記ガード体１１（枠側コンタクトケース本体１０も含む）の内部を臨む状態で対設している。なお、枠側電極３ａ、３ｂとしては、バネ１５、１５を省略して板状の板バネとしてもよい。
【００２１】
また、この実施の形態１では、枠側電極３ａに接続したリード線５と枠側電極３ｂに接続したリード線７とは裏蓋１６の後面に形成した凹溝１９ａ、１９ｂに嵌め込むようにしている。しかしこのような構成に限らない。
【００２２】
上述したように枠側電極３ａ、３ｂを組み込んだ枠側コンタクトケース４は、正面からフロント板１２を嵌め込んで、該フロント板１２を枠側コンタクトケース４とビス２０で固定する。この状態からなる枠側コンタクトケース４を、予め形成されている戸枠２の凹陥状の切欠き部２１に埋設して、該フロント板１２を戸枠２の正面にビス２２で固定する。従って、枠側コンタクトケース４を戸枠２に固定した状態においても、ガード体１１は戸枠２（フロント板１２）より外部に突出している。また、枠側電極３ａ、３ｂは、開戸時には図２および図５に示すように、その先端の垂直板部３０が垂直になった状態でガード体１１の開口１１ａから臨んでいる。
【００２３】
戸側コンタクトケース９は、合成樹脂や金属材料などで前部を開口４０した空室４１を有する略箱状に製作されるが、漏電などを考慮して合成樹脂などの絶縁材料で製作するのが好ましい。この戸側コンタクトケース９は、略箱状に形成した戸側コンタクトケース本体４２と、該戸側コンタクトケース本体４２の開口４０前面に配置されるフロント板４３とからなっている。フロント板４３の中央部には前記戸側コンタクトケース本体４２の開口４０（空室４１）と連通する貫通孔４４を形成し、該貫通孔４４の上端縁と下端縁には戸側コンタクトケース本体４２の空室４１内に差し込まれる折曲片４５、４６を突設し、さらに貫通孔４４より少し上方又は下方にはピン孔５５、５６を形成している。そこで、フロント板４３の折曲片４５、４６を戸側コンタクトケース本体４２の空室４１に嵌入しながら、該フロント板４３のピン孔５５、５６に戸側コンタクトケース本体４２の上面及び下面に一体突設あるいは溶着などで結合した取付片４７、４８に突設したピン５３、５４を挿入する。そして、前記折曲片４５、４６と取付片４７、４８とをビス４９・・・４９で固定することによって、戸側コンタクトケース本体４２とフロント板４３とを結合するようにしている。
【００２４】
戸側コンタクトケース本体４２の片方の側面（図４では右側面）は内方へ少し窪ませ、その窪み面５０の内側の上下両部であって空室４１には細い板状でかつＬ字状の戸側電極８ａ、８ｂをビスや溶接などの固定手段５１・・・５１で固定する。この場合、戸側電極８ａ、８ｂは開口４０及びフロント板４３の貫通孔４４の縦中心線上に位置するように設けている。戸側電極８ａ、８ｂの先端はとがらし、この尖端部５２、５２が閉戸時において前記１対の板バネ状の枠側電極３ａ、３ｂの垂直板部３０に接触して通電状態が保持されるようになっている。
【００２５】
上述したように戸側電極８ａ、８ｂ及びフロント板４３を取り付けた戸側コンタクトケース９を、予め形成されている引戸１の縦框１ａの端面に形成されている凹陥状の切欠き部５７に埋設して、該フロント板４３を引戸１の縦框１ａの正面にビス５８で固定する。
【００２６】
戸側電極８ａ、８ｂの基部には、それぞれリード線６０、６１の一端が接続してあり、このリード線６０、６１の他端は電気錠などの電気機器６２のアクチュエーター６３に接続されている（図６参照）。なお、図６で符号６４は電気錠６２の錠杆（図示せず）を出没するための受金具である。５９はビス５８を挿通するビス孔である。
【００２７】
枠側電極３ａ、３ｂと戸側電極８ａ、８ｂとは以上の如く設けられているので、図６で引戸１を開戸方向Ｘへ開らいた開戸状態においては、上記枠側電極３ａ、３ｂを有する枠側コンタクトケース４と戸側電極８ａ、８ｂを有する戸側コンタクトケース９とは、図２の如き状態を示している。
【００２８】
すなわち、開戸状態において、図２の如く、枠側コンタクトケース４のガード体１１は外部に突出するとともに、該枠側コンタクトケース４内に回動自在に枢支された枠側電極３ａ、３ｂの垂直板部３０、３０は垂直姿勢となっている一方、戸側コンタクトケース９に設けた戸側電極８ａ、８ｂの先端は、上記枠側電極３ａ、３ｂの垂直板部３０、３０に対向している。なお、枠側電極３ａ、３ｂの枢支部（ビス１８部）はバネ１５で常時押し付けているので、その自由端側は該枢支部を支点にして自由に回動される。
【００２９】
上記開戸状態で引戸１を閉戸方向（図２でＹ方向）に閉めて行くと、枠側コンタクトケース４のガード体１１が戸側コンタクトケース９側の貫通孔４４を経て空室４１内に嵌合収容される。この閉戸時において、戸側電極８ａ、８ｂの先端の尖端部５２、５２は、枠側電極３ａ、３ｂの垂直板部３０の前面に接触するが、この発明の枠側電極３ａ、３ｂは枢支部を支点にして回動可能に設けているので、引戸１が図１及び図６の如く完全に閉戸状態となるまでに、前記尖端部５２、５２は前記垂直板部３ａ、３ｂの平面上を初期接点ａ、ｃから終期接点ｂ、ｄに至る距離Ｌ１、Ｌ２間を、バネ１５の付勢力に抗しながら押圧しつつ摺動する。そのため、電極同士が接触摩擦により相互に酸化物等の付着物を清掃するので、ショートすることなく常時通電状態が良好に行われ、引戸１に設けた電気機器６２に対して常に安定して確実に給電することができる。
【００３０】
図１及び図６の閉戸状態から引戸１を開戸方向Ｘへ開放して、図２の如く戸側電極８ａ、８ｂの尖端部５２が枠側電極３ａ、３ｂの垂直板部３０から離脱すると、通電が停止され電流が流れなくなる。
【００３１】
【発明の実施の形態２】
本発明の実施の形態２を図７と図８に基づいて以下に説明する。
図７は実施の形態２の引戸の給電装置の開戸時における縦断面図、図８は図７の引戸の給電装置の閉戸時における縦断面図である。この場合も図６に示すように構成して適用することができるものである。
【００３２】
この第２番目の実施の形態のものは、第１番目の実施の形態と比べて、枠側電極３ａ、３ｂを枠側コンタクトケース４の内部に固定するとともに、戸側電極８ａ、８ｂは戸側コンタクトケース９の内部に可動に設け、閉戸時には戸側電極８ａ、８ｂと枠側電極３ａ、３ｂとの接点が摺動するようにしたものである。つまり、枠側コンタクトケース４に設ける枠側電極３ａ、３ｂとしては、第１番目の実施の形態で戸側コンタクトケース９に設けた板状でＬ字状の戸側電極８ａ、８ｂと同様に形成したものを用い、戸側コンタクトケース９に設ける戸側電極８ａ、８ｂとしては第１番目の実施の形態で枠側コンタクトケース４に設けた枠側電極３ａ、３ｂと略同様に形成したものを用いた点に、第１番目の実施の形態とは顕著な差異を有し、その他の構成は略同様としてなるものである。
【００３３】
すなわち、上記実施の形態２の枠側コンタクトケース４は上記実施の形態１のものと略同一であるが、この実施の形態２では図２に示すようにガード体１１の開口１１ａ縁に内部折曲部１１ｂを有していない点と、実施の形態１で戸側コンタクトケース９の片方の側面に形成した窪み面５０と同様の窪み面７０を有している点で実施の形態１のものと異なっている。
【００３４】
前記枠側コンタクトケース４の片方の側面は内方へ少し窪ませ、その窪み面７０の内側の上下両部には細い板状でかつＬ字状の枠側電極３ａ、３ｂが、ビスや溶接などの固定手段７１・・・７１で固定されている。この場合、枠側電極３ａ、３ｂはガード体１１の開口１１ａの縦中心線上に位置するように設けている。枠側電極３ａ、３ｂの先端には尖端部７２を形成し、この尖端部７２が閉戸時において後述する１対の板バネ状の戸側電極８ａ、８ｂの垂直板部３１、３１に接触して通電状態が保持されるようになっている。
【００３５】
実施の形態２の戸側コンタクトケース９は、実施の形態１とは図１の如き窪み面５０が形成されていない点が異なり、その他の構成は同一である。また、戸側コンタクトケース本体４２とフロント板４３は実施の形態１で示したようにして結合されるので、この点については再述しない。
【００３６】
この実施の形態２の戸側コンタクトケース９の後部壁９ａの上・下両部にはねじ柱７３、７４を水平方向に延設し、このねじ柱７３、７４にバネ７５、７５を介して１対の板バネ状の戸側電極８ａ、８ｂの一端をビス７６、７６で枢支する。この戸側電極８ａ、８ｂの他端の垂直板部３１、３１を、戸側コンタクトケース９の空室４１の前部に前記枠側電極３ａ、３ｂと対向して臨ませている。
【００３７】
従って、図７の如く開戸状態から引戸１を閉めて行き、図８の如く完全に閉戸状態になるまで閉めると、ガード体１１が戸側コンタクトケース９の空室４１内に嵌合収容され、枠側電極３ａ、３ｂの尖端部７２、７２が戸側電極８ａ、８ｂの垂直板部３１を摺動する。このように枠側電極３ａ、３ｂと戸側電極８ａ、８ｂとの接点が摺動することによる作用効果については、実施の形態１で説明している通りである。
【００３８】
【発明の実施の形態３】
本発明の実施の形態３を図９と図１０に基づいて以下に説明する。
図９は実施の形態３の引戸の給電装置の開戸時における縦断面図、図１０は図９の引戸の給電装置の閉戸時における縦断面図である。この場合も図６のようにして適用することができる。
【００３９】
この第３番目の実施の形態のものは、戸側電極８ａ、８ｂは戸側コンタクトケース９の内部で、枠側電極３ａ、３ｂは枠側コンタクトケース４の内部でそれぞれ可動に設けてあるとともに、閉戸時には戸側電極８ａ、８ｂと枠側電極３ａ、３ｂとの接点が摺動するようにしてあるものである。
【００４０】
すなわち、この実施の形態３は、可動式の枠側電極３ａ、３ｂのみならず、該電極３ａ、３ｂを収容する枠側コンタクトケース４とガード体１１と裏蓋１６などの枠側コンタクト部分は、実施の形態１と同一構成を採っている。一方、戸側コンタクト部分のうち、１対の戸側電極８ａ、８ｂを可動にした点は実施の形態１と異なるが、戸側コンタクトケース９やフロント板４３その他の構成は実施の形態１と同一構成としている。
【００４１】
１対の戸側電極８ａ、８ｂを可動にする構成として、この実施の形態３では、戸側コンタクトケース９の空室４１に１対のＬ字状の戸側電極８ａ、８ｂを収容し、該戸側電極８ａ、８ｂの一端を戸側コンタクトケース９の側壁に枢軸８０、８１で回動可能に枢支する。それとともに、該戸側電極８ａ、８ｂの後面には戸側コンタクトケース９の後部壁９ａとの間でバネ８２、８３を弾支し、戸側電極８ａ、８ｂの尖端部８４、８４が常時は突出方向に突出するように付勢している。
【００４２】
図９の開戸状態から図１０の如く閉戸状態になると、戸側電極８ａ、８ｂの尖端部８４、８４が枠側電極３ａ、３ｂの垂直板部３０、３０に圧接し通電状態が保持される。この場合、前記垂直板部３０、３０はバネ１５によって突出方向に付勢されており、また戸側電極８ａ、８ｂの尖端部８４、８４はバネ８２、８３によって突出方向に付勢されているため、両者が押し合いながらその接点が摺動して行くので、安定・確実に通電状態が得られる。
【００４３】
なお、図９と図１０において、枠側コンタクトケース４内にＬ以上の戸側電極８ａ、８ｂ及びバネ８２、８３を配設し、戸側コンタクトケース９内に垂直板部３０を有する枠側電極３ａ、３ｂを配設して、左右を逆に構成し両電極８ａ、８ｂ：３ａ、３ｂとも可動にした構成を採用することもできる。
【００４４】
前記実施の形態１及び実施の形態３の戸側電極８ａ、８ｂと、実施の形態２の枠側電極３ａ、３ｂとは、いずれも板状のものとしているので、戸側コンタクトケース９又は枠側コンタクトケース４が厚味が小さくでき戸厚寸法が小さくても取付可能な薄型の引戸の給電装置が供給できる。
【００４５】
【発明の効果】
（１）  請求項１記載の発明によれば、枠側コンタクトケースには戸枠より外部に突出しかつ前部を開口した箱状のガード体を一体に設け、このガード体の内部に枠側電極を設け、閉戸時には戸側電極を設けた戸側コンタクトケースがガード体を嵌合するとともに、該ガード体の内部で戸側電極と枠側電極とが接触するように構成してあるから、閉戸時には、ガード体を戸側コンタクトケースに位置決めし易く、嵌合するだけで、戸側電極と枠側電極とが自然に位置合わされて、両電極の左右の位置ずれがあっても確実に接触し、接触不良を起こすことがない。しかも、閉戸時に戸に側圧が作用した場合、上記ガード体が枠側電極と戸側電極とを保護するため、両電極に直接に側圧が作用することがない。
【００４６】
（２）  また、上記構成からして、充電部分である枠側電極はガード体の内部に被覆されているため、枠側電極を保護するとともに、該枠側電極に手が触れることがなく感電することがないし、外部から不法解錠されることもない。
【００４７】
（３）  請求項２記載の発明によれば、戸側電極と枠側電極のいずれか一方は固定され、他方は可動に設け、両電極の接点を摺動するようにしてあるから、接点部分の自動清掃ができるため、両電極への酸化物等の付着物の発生等によるショートの発生がなく常時通電状態が良好となる。
【００４８】
（４）  この場合、請求項３記載の如く、戸側電極は戸側コンタクトケースの内部で、枠側電極は枠側コンタクトケースの内部でそれぞれ可動に設けてあるとともに、閉戸時には戸側電極と枠側電極との接点が摺動するようにすると、戸側電極と枠側電極との接点が相互に押圧しながら摺動するので、通電状態がより一層安定かつ確実に得られる。
【００４９】
（５）  請求項４記載の如く、１対の板バネ状の枠側電極と１対の戸側電極とを接触する構成によれば、閉戸時における通電状態がより一層安定かつ確実に得られる。
【００５０】
（６）  請求項５記載の如く、戸側電極または枠側電極のいずれか一方は、薄肉の板で形成することにより、電極の肉厚が薄形となるので、構成部材が少なく、該電極を収容する戸側コンタクトケースまたは枠側コンタクトケースが小形ににできる。
【図面の簡単な説明】
【図１】本発明の実施の形態１の引戸の給電装置の閉戸時における縦断面図である。
【図２】図１の引戸の給電装置の開戸時における縦断面図である。
【図３】枠側コンタクトケースの分解斜視図である。
【図４】戸側コンタクトケースの分解斜視図である。
【図５】枠側コンタクトケースの正面図である。
【図６】引戸の全体概略図である。
【図７】本発明の実施の形態２の引戸の給電装置の開戸時における縦断面図である。
【図８】図７の引戸の給電装置の閉戸時における縦断面図である。
【図９】本発明の実施の形態３の引戸の給電装置の開戸時における縦断面図である。
【図１０】図９の引戸の給電装置の閉戸時における縦断面図である。
【符号の説明】
１          引戸
２          戸枠
３ａ、３ｂ  枠側電極
４          枠側コンタクトケース
５、７      リード線
６          電源
８ａ、８ｂ  戸側電極
９          戸側コンタクトケース
１０        枠側コンタクトケース本体
１１        ガード体
１２        フロント板
１５        バネ
１６        裏蓋
１８        ビス
３０        垂直板部
３１        垂直板部
４０        開口
４１        空室
４２        戸側コンタクトケース本体
４３        フロント板
４４        貫通孔
４５、４６  折曲片
５０        窪み面
５１        固定手段
５２        尖端部
６０、６１  リード線
６２        電気機器（電気錠）
７０        窪み面
７１        固定手段
７２        尖端部
８４        尖端部
ａ、ｃ      初期接点
ｂ、ｄ      終期接点
【図１】
0003723253.tif 000002
【図２】
0003723253.tif 000003
【図３】
0003723253.tif 000004
【図４】
0003723253.tif 000005
【図５】
0003723253.tif 000006
【図６】
0003723253.tif 000007
【図７】
0003723253.tif 000008
【図８】
0003723253.tif 000009
【図９】
0003723253.tif 000010
【図１０】
0003723253.tif 000011